(57)【特許請求の範囲】
【請求項１】
受信者を特定する受信者特定情報と受信者へ送信する画像データの送信方法及び送信先とを含む受信者情報を提供するサーバーと画像送信装置とが、ネットワーク接続されて構成される画像送信システムであって、
前記サーバーは、
記録媒体と、
受信者が指定した、受信者情報と受信者情報の表示態様を示す表示態様指定情報の登録及び更新を受付ける受付け手段と、
前記登録を受付けると、受信者情報及び表示態様指定情報を、それらを指定した受信者の識別子と対応付けて前記記録媒体に記録し、前記更新を受付けると、前記記録媒体において、当該受信者の識別子に対応付けて記録されている受信者情報及び表示態様指定情報を更新後の受信者情報及び表示態様指定情報に書き換える記録制御手段と
を有し、
前記画像送信装置は、
表示部と、
画像データの受信者の識別子の選択を受付ける選択受付手段と、
選択された受信者の識別子が、前記サーバーにおいて受信者情報及び表示態様指定情報と対応付けられて記録されている場合に、前記サーバーから当該受信者情報及び表示態様指定情報を取得する取得手段と、
取得された受信者情報に基づいて画像データを送信する送信手段と、
前記選択受付手段において選択を受付けた受信者の受信者情報を当該受信者について対応付けられている表示態様指定情報の示す表示態様に従って前記表示部に表示させる表示制御手段と
を有することを特徴とする画像送信システム。
【請求項２】
前記表示態様指定情報は、受信者情報について、複数の表示態様を含み、複数の表示態様は、それぞれ異なる送信者の識別子と対応付けられ、
前記画像送信装置は、
送信者の識別子の入力を受付ける送信者識別子入力手段と、
選択された受信者の識別子が、前記サーバーにおいて受信者情報及び表示態様指定情報と対応付けられて記録されている場合に、取得された前記表示態様指定情報において、前記送信者識別子入力手段において入力された送信者の識別子に対応付けられている表示態様を特定する表示態様特定手段と
を有し、
前記表示制御手段は、前記受信者情報を、特定された表示態様に従って前記表示部に表示させる
ことを特徴とする請求項１記載の画像送信システム。
【請求項３】
前記画像送信装置は、
送信者及び受信者の識別子と送信結果と受信者の受信者情報とを含む送信履歴情報を記憶する記憶手段と、
送信履歴情報の表示指示を受付ける表示指示受付手段と
前記表示指示を受付けると、入力された送信者の識別子を含む送信履歴情報における受信者の識別子が、前記サーバーにおいて受信者情報及び表示態様指定情報と対応付けられて記録されているか否かを判定する判定手段と
を有し、
前記取得手段は、前記判定手段において対応付けられて記録されていると判定された場合に、前記サーバーから当該表示態様指定情報を取得し、
前記表示制御手段は、前記受信者情報が、前記取得手段の取得した表示態様指定情報において、入力された送信者の識別子に対応付けられている表示態様に従って前記表示部に表示されるように、送信履歴情報の表示を制御する
ことを特徴とする請求項２記載の画像送信システム。
【請求項４】
受信者を特定する受信者特定情報と受信者へ送信する画像データの送信方法及び送信先とを含む受信者情報を提供するサーバーであって、受信者が指定した、受信者情報と受信者情報の表示態様を示す表示態様指定情報を、それらを指定した受信者の識別子と対応付けて記録し、当該受信者情報及び表示態様指定情報が更新される毎に、記録されている受信者情報及び表示態様指定情報を更新後の受信者情報及び表示態様指定情報に書き換える処理を行うサーバーと、ネットワークで接続された画像送信装置であって、
表示部と、
画像データの受信者の識別子の選択を受付ける選択受付手段と、
選択された受信者の識別子が、前記サーバーにおいて受信者情報及び表示態様指定情報と対応付けられて記録されている場合に、前記サーバーから当該受信者情報及び表示態様指定情報を取得する取得手段と、
取得された受信者情報に基づいて画像データを送信する送信手段と、
前記選択受付手段において選択を受付けた受信者の受信者情報を当該受信者について対応付けられている表示態様指定情報の示す表示態様に従って前記表示部に表示させる表示制御手段と
を備えることを特徴とする画像送信装置。
【請求項５】
前記表示態様指定情報は、受信者情報について、複数の表示態様を示し、複数の表示態様は、それぞれ異なる送信者の識別子と対応付けられ、
前記画像送信装置は、
送信者の識別子の入力を受付ける送信者識別子入力手段と、
選択された受信者の識別子が、前記サーバーにおいて受信者情報及び表示態様指定情報と対応付けられて記録されている場合に、取得された前記表示態様指定情報において、前記送信者識別子入力手段において入力された送信者の識別子に対応付けられている表示態様を特定する表示態様特定手段と
を有し、
前記表示制御手段は、前記受信者情報を、特定された表示態様に従って前記表示部に表示させる
ことを特徴とする請求項４記載の画像送信装置。
【請求項６】
前記画像送信装置は、
送信者及び受信者の識別子と送信結果と受信者の受信者情報とを含む送信履歴情報を記憶する記憶手段と、
送信履歴情報の表示指示を受付ける表示指示受付手段と
前記表示指示を受取ると、入力された送信者の識別子を含む送信履歴情報における受信者の識別子が、前記サーバーにおいて受信者情報及び表示態様指定情報と対応付けられて記録されているか否かを判定する判定手段と
を有し、
前記取得手段は、前記判定手段において対応付けられて記録されていると判定された場合に、前記サーバーから当該表示態様指定情報を取得し、
前記表示制御手段は、前記受信者情報が、前記取得手段の取得した表示態様指定情報において、入力された送信者の識別子に対応付けられている表示態様に従って前記表示部に表示されるように、送信履歴情報の表示を制御する
ことを特徴とする請求項５記載の画像送信装置。
【請求項７】
受信者を特定する受信者特定情報と受信者へ送信する画像データの送信方法及び送信先とを含む受信者情報を提供するサーバーであって、受信者が指定した、受信者情報と受信者情報の表示態様を示す表示態様指定情報を、それらを指定した受信者の識別子と対応付けて記録し、当該受信者情報及び表示態様指定情報が更新される毎に、記録されている受信者情報及び表示態様指定情報を更新後の受信者情報及び表示態様指定情報に書き換える処理を行うサーバーと、ネットワークで接続された、表示部を備える画像送信装置における画像送信方法であって、
画像データの受信者の識別子の選択を受付ける選択受付ステップと、
選択された受信者の識別子が、前記サーバーにおいて受信者情報及び表示態様指定情報と対応付けられて記録されている場合に、前記サーバーから当該受信者情報及び表示態様指定情報を取得する取得ステップと、
取得された受信者情報に基づいて画像データを送信する送信ステップと、
前記選択受付ステップにおいて選択を受付けた受信者の受信者情報を当該受信者について対応付けられている表示態様指定情報の示す表示態様に従って前記表示部に表示させる表示制御ステップと
を含むことを特徴とする画像送信方法。
【請求項８】
前記表示態様指定情報は、受信者情報について、複数の表示態様を含み、複数の表示態様は、それぞれ異なる送信者の識別子と対応付けられ、
前記画像送信方法は、
送信者の識別子の入力を受付ける送信者識別子入力ステップと、
選択された受信者の識別子が、前記サーバーにおいて受信者情報及び表示態様指定情報と対応付けられて記録されている場合に、取得された前記表示態様指定情報において、前記送信者識別子入力ステップにおいて入力された送信者の識別子に対応付けられている表示態様を特定する表示態様特定ステップと
を含み、
前記表示制御ステップは、前記受信者情報を、特定された表示態様に従って前記表示部に表示させる
ことを特徴とする請求項７記載の画像送信方法。
【請求項９】
前記画像送信装置は、
送信者及び受信者の識別子と送信結果と受信者の受信者情報とを含む送信履歴情報を記憶する記憶手段を備え、
前記画像送信方法は、
送信履歴情報の表示指示を受付ける表示指示受付ステップと
前記表示指示を受付けると、入力された送信者の識別子を含む送信履歴情報における受信者の識別子が、前記サーバーにおいて受信者情報及び表示態様指定情報と対応付けられて記録されているか否かを判定する判定ステップと
を含み、
前記取得ステップは、前記判定ステップにおいて対応付けられて記録されていると判定された場合に、前記サーバーから当該表示態様指定情報を取得し、
前記表示制御ステップは、前記受信者情報が、前記取得ステップにおいて取得した表示態様指定情報において、入力された送信者の識別子に対応付けられている表示態様に従って前記表示部に表示されるように、送信履歴情報の表示を制御する
ことを特徴とする請求項８記載の画像送信方法。
【発明の詳細な説明】
【技術分野】
【０００１】
本発明は、宛先情報の表示が可能な画像送信技術に関し、特に、送信時における宛先情報の表示を制御する技術に関する。
【背景技術】
【０００２】
近年、ネットワークを経由して各種情報を、ユーザの所望する送信方法（電子メール、ファックス、ＦＴＰ、インターネットファックス等）で受信者に送信可能な画像送信装置が普及してきている。
これらの画像送信装置においては、画像データの送信の際に受信者の宛先情報（受信者名や受信者のファックス番号、電子メールアドレス等）が、表示部に表示されるのが一般的であり、送信者とは、無関係の他人に宛先情報を見られ、悪用される可能性があるため、宛先情報の表示を制御して、情報の流出を防止する技術が開示されている。
【０００３】
例えば、特許文献１には、宛先情報の表示時間を制限したり、宛先情報の一部をマスクしたりする技術が開示されている。
これにより、送信の際に、取引先等に関する重要な宛先情報が、他人に容易に見られ、外部に流出することがないように、セキュリティを高めることができる。
【特許文献１】特開２００６−１８６９１９号公報
【発明の開示】
【発明が解決しようとする課題】
【０００４】
しかしながら、上記従来技術においては、送信者側の意向により、受信者の宛先情報の表示が制御されるので、受信者側の意向が全く反映されず、画像データの送信の際に、受信者にとって表示されたくない情報が、表示され、当該情報が他人に流出し、不正に利用されて、当該受信者が不利益を被るという問題が生じる。
例えば、社員間の画像データの送受信のような場合には、送信者側では、特に受信者の宛先情報の表示を制限する必要がないため、送信の際の宛先情報の表示制限は、行われない場合が多いが、受信者側の事情で重要な取引先に出張し、当該取引先で画像データ等を受信したいような場合や、受信者が自宅で仕事をしていて、自宅で画像データ等を受信したいような場合には、受信者側では、セキュリティの確保及び個人情報の保護の観点から、送信者側に対し、宛先情報の開示を制限してもらいたいと考えていても、送信者側で、当該受信者の事情を把握することができず、送信の際に、宛先情報が、表示制限されることなく、開示されてしまった場合には、当該宛先情報が外部に流出し、受信者が不利益を被るという問題が生じる。
【０００５】
本発明は、上記の問題点に鑑み、画像データを受信者に送信する際に、受信者側の意向を反映して、宛先情報の開示を制御することが可能な画像送信装置、そのような画像送信装置を含む画像送信システム及び画像送信方法を提供することを目的とする。
【課題を解決するための手段】
【０００６】
上記課題を解決するために、本発明は、受信者を特定する受信者特定情報と受信者へ送信する画像データの送信方法及び送信先とを含む受信者情報を提供するサーバーと画像送信装置とが、ネットワーク接続されて構成される画像送信システムであって、前記サーバーは、記録媒体と、受信者が指定した、受信者情報と受信者情報の表示態様を示す表示態様指定情報の登録及び更新を受付ける受付け手段と、前記登録を受付けると、受信者情報及び表示態様指定情報を、それらを指定した受信者の識別子と対応付けて前記記録媒体に記録し、前記更新を受付けると、前記記録媒体において、当該受信者の識別子に対応付けて記録されている受信者情報及び表示態様指定情報を更新後の受信者情報及び表示態様指定情報に書き換える記録制御手段とを有し、前記画像送信装置は、表示部と、画像データの受信者の識別子の選択を受付ける選択受付手段と、選択された受信者の識別子が、前記サーバーにおいて受信者情報及び表示態様指定情報と対応付けられて記録されている場合に、前記サーバーから当該受信者情報及び表示態様指定情報を取得する取得手段と、取得された受信者情報に基づいて画像データを送信する送信手段と、前記選択受付手段において選択を受付けた受信者の受信者情報を当該受信者について対応付けられている表示態様指定情報の示す表示態様に従って前記表示部に表示させる表示制御手段とを有する。
【０００７】
又、本発明は、受信者を特定する受信者特定情報と受信者へ送信する画像データの送信方法及び送信先とを含む受信者情報を提供するサーバーであって、受信者が指定した、受信者情報と受信者情報の表示態様を示す表示態様指定情報を、それらを指定した受信者の識別子と対応付けて記録し、当該受信者情報及び表示態様指定情報が更新される毎に、記録されている受信者情報及び表示態様指定情報を更新後の受信者情報及び表示態様指定情報に書き換える処理を行うサーバーと、ネットワークで接続された画像送信装置であって、
表示部と、画像データの受信者の識別子の選択を受付ける選択受付手段と、選択された受信者の識別子が、前記サーバーにおいて受信者情報及び表示態様指定情報と対応付けられて記録されている場合に、前記サーバーから当該受信者情報及び表示態様指定情報を取得する取得手段と、取得された受信者情報に基づいて画像データを送信する送信手段と、前記選択受付手段において選択を受付けた受信者の受信者情報を当該受信者について対応付けられている表示態様指定情報の示す表示態様に従って前記表示部に表示させる表示制御手段とを備えることとすることができる。
【０００８】
又、本発明は、受信者を特定する受信者特定情報と受信者へ送信する画像データの送信方法及び送信先とを含む受信者情報を提供するサーバーであって、受信者が指定した、受信者情報と受信者情報の表示態様を示す表示態様指定情報を、それらを指定した受信者の識別子と対応付けて記録し、当該受信者情報及び表示態様指定情報が更新される毎に、記録されている受信者情報及び表示態様指定情報を更新後の受信者情報及び表示態様指定情報に書き換える処理を行うサーバーと、ネットワークで接続された、表示部を備える画像送信装置における画像送信方法であって、画像データの受信者の識別子の選択を受付ける選択受付ステップと、選択された受信者の識別子が、前記サーバーにおいて受信者情報及び表示態様指定情報と対応付けられて記録されている場合に、前記サーバーから当該受信者情報及び表示態様指定情報を取得する取得ステップと、取得された受信者情報に基づいて画像データを送信する送信ステップと、選択を受付けた受信者の受信者情報を当該受信者について対応付けられている表示態様指定情報の示す表示態様に従って前記表示部に表示させる表示制御ステップとを含むこととすることができる。
【発明の効果】
【０００９】
本発明は、上記構成を備えることにより、画像データの送信の際に、画像送信装置の表示部に表示される受信者情報が、受信者の指定した表示態様に従って表示されるので、受信者名や送信先など、受信者側で表示されたくない情報の表示を、受信者側の都合により制限することができる。従って、自己宛の画像データが送信される際の、画像送信装置における、受信者側の宛先情報の開示を、受信者側の意向を反映する形で制限することができ、受信者にとって不都合な情報が、開示されるのを効果的に抑止することができる。
【００１０】
ここで、前記表示態様指定情報は、受信者情報について、複数の表示態様を含み、複数の表示態様は、それぞれ異なる送信者の識別子と対応付けられ、前記画像送信装置は、
送信者の識別子の入力を受付ける送信者識別子入力手段と、選択された受信者の識別子が、前記サーバーにおいて受信者情報及び表示態様指定情報と対応付けられて記録されている場合に、取得された前記表示態様指定情報において、前記送信者識別子入力手段において入力された送信者の識別子に対応付けられている表示態様を特定する表示態様特定手段と
を有し、前記表示制御手段は、前記受信者情報を、特定された表示態様に従って前記表示部に表示させることとすることができる。
【００１１】
又、前記表示態様指定情報は、受信者情報について、複数の表示態様を含み、複数の表示態様は、それぞれ異なる送信者の識別子と対応付けられ、前記画像送信方法は、送信者の識別子の入力を受付ける送信者識別子入力ステップと、選択された受信者の識別子が、前記サーバーにおいて受信者情報及び表示態様指定情報と対応付けられて記録されている場合に、取得された前記表示態様指定情報において、前記送信者識別子入力ステップにおいて入力された送信者の識別子に対応付けられている表示態様を特定する表示態様特定ステップとを含み、前記表示制御ステップは、前記受信者情報を、特定された表示態様に従って前記表示部に表示させることとすることができる。
【００１２】
これにより、送信者に応じて、送信の際に表示される受信者情報の表示態様を変えることができるので、個々の送信者との人的親密度、取引関係等に応じて、宛先情報の表示態様を、受信者にとって不都合が生じないように最適化することができる。
ここで、前記画像送信装置は、送信者及び受信者の識別子と送信結果と受信者の受信者情報とを含む送信履歴情報を記憶する記憶手段と、送信履歴情報の表示指示を受付ける表示指示受付手段と前記表示指示を受付けると、入力された送信者の識別子を含む送信履歴情報における受信者の識別子が、前記サーバーにおいて受信者情報及び表示態様指定情報と対応付けられて記録されているか否かを判定する判定手段とを有し、前記取得手段は、前記判定手段において対応付けられて記録されていると判定された場合に、前記サーバーから当該表示態様指定情報を取得し、前記表示制御手段は、前記受信者情報が、前記取得手段の取得した表示態様指定情報において、入力された送信者の識別子に対応付けられている表示態様に従って前記表示部に表示されるように、送信履歴情報の表示を制御することとすることができる。
【００１３】
又、前記画像送信装置は、送信者及び受信者の識別子と送信結果と受信者の受信者情報とを含む送信履歴情報を記憶する記憶手段を備え、前記画像送信方法は、送信履歴情報の表示指示を受付ける表示指示受付ステップと前記表示指示を受付けると、入力された送信者の識別子を含む送信履歴情報における受信者の識別子が、前記サーバーにおいて受信者情報及び表示態様指定情報と対応付けられて記録されているか否かを判定する判定ステップとを含み、前記取得ステップは、前記判定ステップにおいて対応付けられて記録されていると判定された場合に、前記サーバーから当該表示態様指定情報を取得し、前記表示制御ステップは、前記受信者情報が、前記取得ステップにおいて取得した表示態様指定情報において、入力された送信者の識別子に対応付けられている表示態様に従って前記表示部に表示されるように、送信履歴情報の表示を制御することとすることができる。
【００１４】
これにより、送信履歴情報が、表示される際にも、受信者の指定した表示態様に従って、受信者情報が表示されるので、送信履歴情報の表示を介して、受信者にとって不都合な情報が、開示されるのを効果的に抑止することができる。
【発明を実施するための最良の形態】
【００１５】
以下本発明を実施するための最良の形態について説明する。
＜構成＞
図１は、本実施の形態に係る画像送信システム１０００の構成を示す図である。画像送信システム１０００は、画像送信装置１００、パーソナルコンピュータ（以下、「ＰＣ」という。）１５１、１５２、アドレス帳サーバー２００から構成され、画像送信システム１０００の各構成要素は、ＬＡＮ（Local Area Network）１０１で接続されている。
【００１６】
ＬＡＮ１０１は、インターネット１０２と接続され、画像送信システム１０００は、インターネット１０２を介して、メールサーバ４０１、ＦＴＰサーバー４０２、ＷＷＷサーバー４０３と接続されている。
ＬＡＮ１０１、インターネット１０２で接続される各構成要素は、ＴＣＰ（Transport Control Protocol）／ＩＰ(Internet Protocol)プロトコールに従って相互接続され、ＴＣＰ／ＩＰ上では、
ＷｅｂＤＡＶ（Distributed Authoring and Versioning for the WWW）、ＳＭＢ（Server Message Block）、ＳＭＴＰ（Simple Mail Transport Protocol）、ＦＴＰ（File Transfer Protocol）による各種通信が可能である。
【００１７】
又、画像送信装置１００は、電話回線などから構成される通信網１０３と接続されており、通信網１０３を介して外部のファクシミリ３００とファックス通信を行うことができる。
なお、図１では、説明の便宜上、画像送信装置１００は、１つだけ示されているが、画像送信システム１０００に含まれる画像送信装置１００は、複数であってもよい。
【００１８】
（画像送信装置１００）
（ハードウェア構成）
本実施の形態の画像送信装置１００は、マイクロプロセッサ、ＲＯＭ、ＲＡＭ、ハードディスクユニット、指示を入力するための操作パネル（タッチパネル又は複数の入力キーと液晶ディスプレイ等から構成されるパネル）、スキャナー、レーザ印刷機などの画像印刷機等からなるプリンタ、ファクシミリなどから構成される。前記ＲＡＭ又は前記ハードディスクユニットには、コンピュータプログラムが記憶されている。前記マイクロプロセッサが、前記コンピュータプログラムに従って動作することにより、画像送信装置１００は、以下の機能構成において説明する各機能を達成する。ここで、コンピュータプログラムは、所定の機能を達成するために、コンピュータに対する指令を示す命令コードが複数個組み合わされて構成されたものである。
【００１９】
（機能構成）
図２は、画像送信装置１００の機能構成を示す機能ブロック図である。図２に示すように、画像送信装置１００は、通信制御部１１０、画像記憶部１１１、登録認証情報記憶部１１２、画像読取部１１３、モデム１１４、ＦＡＸ通信制御部１１５、網制御部１１６、操作パネル部１１７、印刷処理部１１８、送信履歴情報記憶部１２０から構成される。
【００２０】
（通信制御部１１０）
ＬＡＮ１０１に接続するためのインターフェースであり、ＬＡＮ１０１に接続されている画像送信システム１０００の各構成要素との間の通信を制御する。上記通信の制御は、ＴＣＰ／ＩＰ等の所定のプロトコールを用いて行われる。
（画像記憶部１１１）
画像読取部１１９や通信制御部１１０より入力された、送信用の画像データを記憶している。
【００２１】
（登録認証情報記憶部１１２）
画像送信装置１００の使用許可者として、予め登録された各利用者の登録認証情報、顔画像を示す顔画像データを記憶している。
ここで、「登録認証情報」とは、上記各使用許可者の利用者名とパスワードとから構成される情報のことをいう。
【００２２】
顔画像データは、利用者名と対応付けて記憶されている。
（画像読取部１１３）
スキャナーなどの画像入力装置から構成され、紙文書に記録された文字、図面、表、写真等の画像を、内部に備える光源で照射し、反射像をレンズで固体撮像素子上に結像し、固体撮像素子を介して画像信号に変換し、画像データを生成する。
【００２３】
（モデム１１４）
相手側の画像送信装置１００に送信する送信信号の変調及び相手側の画像送信装置１００から送信される送信信号の復調を行うために用いられる。
（ＦＡＸ通信制御部１１５）
モデム１１４を介して、通信相手先の画像送信装置１００に送信する送信信号の変調及び通信相手先の画像送信装置１００から送信される送信信号の復調を行う。
【００２４】
又、網制御部１１６を介して、通信網１０３に接続し、通信相手先の画像送信装置１００と通信する。
（網制御部１１６）
通信網１０３と接続するのに用いられる。
（操作パネル部１１７）
複数の入力キーと図１の符号１１７１で示す表示部（例えば、液晶ディスプレイ）を備え、表示部１１７１の表面にはタッチパネルが積層されている。タッチパネルからのタッチ入力又は入力キーからのキー入力により、利用者からの指示を受取り、制御部１１９に通知する。
【００２５】
（印刷処理部１１８）
制御部１１９から入力された画像データに基づいて、印刷用用紙に印刷を行う。
（制御部１１９）
画像送信装置１００の全体の制御、後述する、個人アドレス帳登録処理、受信者設定登録処理、画像送信処理、送信履歴表示処理を行う。
【００２６】
（送信履歴情報記憶部１２０）
送信履歴情報を記憶している。
ここで、「送信履歴情報」とは、送信者名、受信者名又は後述する受信者特定情報、送信方法又は後述する送信条件指定情報、送信結果、送信時刻との対応関係を示す情報のことをいい、画像データが送信先に送信される毎に、制御部１１９によって作成される。
又、「送信方法」とは、送信プロトコール（例えば、ＷｅｂＤＡＶ、ＳＭＢ、ＳＭＴＰ、ＦＴＰ）や送信機能（例えば、ファックス（ＦＡＸ））に関する情報のことをいい、「送信先」とは、画像データが送信される宛先を示す情報のことをいい、例えば、ネットワークアドレス、電話番号のことをいう。
【００２７】
（アドレス帳サーバー２００）
（ハードウェア構成）
アドレス帳サーバー２００は、マイクロプロセッサ、ＲＯＭ、ＲＡＭ、ハードディスクユニット、指示入力するためのキーボード、マウス、液晶ディスプレイやＣＲＴなどから構成されるディスプレイユニットなどから構成される。前記ＲＡＭ又は前記ハードディスクユニットには、コンピュータプログラムが記憶されている。前記マイクロプロセッサが、前記コンピュータプログラムに従って動作することにより、アドレス帳サーバー２００は、以下の機能構成において説明する各機能を達成する。
【００２８】
（機能構成）
図３は、アドレス帳サーバー２００の機能構成を示す機能ブロック図である。
アドレス帳サーバー２００は、通信制御部２０１、制御部２０２、アドレス帳記憶部２０３から構成される。
（通信制御部２０１）
ＬＡＮ１０１と接続するためのインターフェースであり、画像送信システム１０００の各構成要素との間の通信を制御する。上記通信の制御は、ＴＣＰ／ＩＰ等の所定のプロトコールを用いて行われる。
【００２９】
（アドレス帳記憶部２０３）
個人アドレス帳記憶部２０３１とおまかせアドレス帳記憶部２０３２とから構成される。
（個人アドレス帳記憶部２０３１）
画像送信システム１０００の各利用者の設定した個人アドレス帳を記憶している。
【００３０】
ここで、「個人アドレス帳」とは、設定者情報と、送信相手先設定情報と、受信者設定情報とを含む情報のことをいう。
「設定者情報」とは、個人アドレス帳の設定者を識別する情報（例えば、設定者名）のことをいう。
「受信者設定情報」とは、受信者特定情報と、個人アドレス帳の設定者が指定した、自己宛の画像データの送信方法と送信先とを示す送信条件指定情報と、個人アドレス帳の設定者が指定した表示態様指定情報とを含む情報のことをいう。
【００３１】
ここで、「受信者特定情報」とは、送信者が上記設定者宛に画像データを送信する際に、送信者が使用する画像送信装置１００の表示部１１７１に表示される、受信者である上記設定者を特定する情報のことをいい、具体的には、受信者名、受信者のＩＤ、愛称、顔画像等の情報のことをいう。
「送信条件指定情報」とは、後述する受信者設定登録処理において、上記設定者により、指定される送信方法及び送信先を示す情報のことをいう。
【００３２】
「表示態様指定情報」とは、送信者が上記設定者宛に画像データを送信する際に、送信者が使用する画像送信装置１００の表示部１１７１に表示する、受信者特定情報、送信条件指定情報の表示態様（以下、「指定表示形態」という。）を指定する情報のことをいう。
指定表示形態としては、「制限無し」、「一律制限」、「個別制限」の３形態があり、「制限無し」とは、受信者特定情報及び送信条件指定情報の内容を、予め定めたデフォルトの表示態様（例えば、受信者特定情報及び送信条件指定情報の全てを表示させる表示態様、所定の項目（例えば、顔画像と愛称）の表示を制限した表示態様）で表示させる表示態様であり、「一律制限」とは、受信者特定情報及び送信条件指定情報の一部を、画像データの送信者の如何にかかわらず一律に表示させないようにする表示態様であり、「個別制限」とは、画像データの送信者毎に、表示を制限すべき受信者特定情報及び送信条件指定情報の項目を特定し、特定した項目の表示を制限して表示させる表示態様である。
【００３３】
図４は、受信者設定情報の具体例を示す図である。図４では、受信者特定情報において、受信者名として「ＧＫ」、受信者ＩＤとして「111998」、愛称として「ごり」、顔画像データの格納先（登録認証情報記憶部１１２）のアドレスが指定され、送信条件指定情報において、送信方法として「E-mail」、送信先として「 HYPERLINK "mailto:ddd@jjj.ne.jp" ddd@jjj.ne.jp」が指定され、表示態様指定情報において、指定表示形態として「個別制限」が指定され、Ａさん、Ｂさん、Ｃさん、Ｈさんの各送信者について、「受信者名」、「受信者ID」、「愛称」、「顔画像」、「送信方法」及び「送信先」の各項目の表示態様が指定されている。
【００３４】
図４における記号「○」は、画像データの送信時に、該当する情報の表示が制限されないことを示し、記号「×」は、画像データの送信時に、該当する情報の表示が制限される（表示されないか、又は「＊＊＊＊」等のマスク用の記号等で表示される）ことを示す。
例えば、送信者が「Ａさん」の場合には、表示態様指定情報において、受信者名と受信者ＩＤの表示が制限され、愛称、顔画像、送信方法、送信先については、表示が制限されていないので、「Ａさん」からの画像データの送信時における表示部１１７１の表示は、図５に示すような表示となる。
【００３５】
又、送信者が「Ｈさん」の場合には、表示態様指定情報において、顔画像及び送信方法以外の表示は制限されているので、「Ｈさん」からの画像データの送信時における表示部１１７１の表示は、図６に示すような表示となる。
「受信者設定情報」は、個人アドレス帳の設定者が設定している場合にのみ、個人アドレス帳に含まれ、設定していない場合には、個人アドレス帳には含まれない。
【００３６】
受信者設定情報を設定していない場合における、画像データ送信時の受信者特定情報及び送信条件指定情報は、デフォルトの表示態様で表示されるものとする。
「送信相手先設定情報」とは、画像データの受信者名と、受信者への送信方法及び送信先を指定する情報のことをいう。
「送信相手先設定情報」における、送信方法及び送信先の指定の仕方には、２種類があり、１つは、利用者が、個々に入力して送信方法と送信先を指定するやり方と、他の利用者の個人アドレス帳に含まれる受信者設定情報の示す送信方法及び送信先を指定する情報（以下、「おまかせ設定情報」という。）を指定するやり方（以下、「おまかせ設定」という。）の２種類があり、利用者は後述する個人アドレス帳登録処理において、何れかのやり方で送信相手先設定情報を登録する。
【００３７】
図７（ａ）及び（ｂ）は、個人アドレス帳の具体例を示す。図７（ａ）は、個人アドレス帳の設定者（設定者情報）が「Ａさん」の個人アドレス帳を示し、図７（ｂ）は、個人アドレス帳の設定者（設定者情報）が「ＧＫさん」の個人アドレス帳を示す。
「Ａさん」の個人アドレス帳においては、受信者の「ＧＫさん」に対し、「おまかせ設定情報」によって、図７（ｂ）の「ＧＫさん」の個人アドレス帳の受信者設定情報（符号４０１で示す部分）に示される、送信方法、送信先、受信者特定情報及び送信条件指定情報の表示態様を指定している。
【００３８】
なお、符合４０１で示す受信者設定情報の具体的内容は、図４に示されている。
これにより、後述する画像送信処理において、「Ａさん」の個人アドレス帳を用いて、「ＧＫさん」に画像データを送信する場合には、「ＧＫさん」が、図７（ｂ）の自己の個人アドレス帳に登録した受信者設定情報４０１により、指定される送信方法及び送信先に従って、当該画像データが送信される。
又、画像データ送信時の表示部１１７１において、受信者特定情報及び送信条件指定情報が、図４に示す、「ＧＫさん」の受信者設定情報における、「Ａさん」についての表示態様指定情報において、指定する表示態様に従って、図５に示すように表示される。
【００３９】
（おまかせアドレス帳記憶部２０３２）
次に図３の説明に戻ると、おまかせアドレス帳記憶部２０３２は、おまかせアドレス帳を記憶している。ここで、「おまかせアドレス帳」とは、受信者設定情報を設定している個人アドレス帳の設定者のリスト（以下、「受信方法設定者リスト」という。）のことをいう。
【００４０】
（制御部２０２）
アドレス帳サーバー２００の全体の制御と個人アドレス帳の登録管理処理を行う。
（登録管理処理）
後述する個人アドレス帳登録処理によって、画像送信装置１００から、利用者名の通知と、当該利用者名の個人アドレス帳の取得要求を、通信制御部２０１を介して受取ると、個人アドレス帳記憶部２０３１から、通知された利用者名と設定者情報の示す設定者名とが一致する個人アドレス帳を取得し、通信制御部２０１を介して、要求元の画像送信装置１００に送信する。
【００４１】
又、後述する個人アドレス帳登録処理において、各画像送信装置１００が個人アドレス帳を作成又は更新する毎に、当該個人アドレス帳を、画像送信装置１００から通信制御部２０１を介して取得し、個人アドレス帳記憶部２０３１に記録する処理を行う。この際、制御部２０２は、画像送信装置１００から、個人アドレス帳を取得する毎に、当該個人アドレス帳の設定者情報と同一の設定者情報を含む個人アドレス帳が、個人アドレス帳記憶部２０３１に記憶されているか否かを判定し、記憶されている場合には、当該個人アドレス帳、すなわち、更新前の個人アドレス帳を、更新後の個人アドレス帳に書き換えて更新し、記憶されていない場合、すなわち、取得した個人アドレス帳が新たに作成されたものである場合には、当該個人アドレス帳を個人アドレス帳記憶部２０３１に新たに記録する。
【００４２】
又、所定時間間隔毎に、個人アドレス帳記憶部２０３１に記憶されている個人アドレス帳を検索し、受信者設定情報を含む個人アドレス帳の設定者情報を抽出して、おまかせアドレス帳を作成し、おまかせアドレス帳記憶部２０３２に記録する処理を行う。
これにより、直前に作成されたおまかせアドレス帳は、所定時間毎に書き換えられて、最新のおまかせアドレス帳に更新される。
＜動作＞
（個人アドレス帳登録処理）
図１０は、制御部１１９の行う個人アドレス帳登録処理の動作を示すフローチャートである。以下、図１０を参照して、上記動作について説明する。
【００４３】
操作パネル部１１７を介して、利用者から個人アドレス帳登録処理の実行指示が入力されると、制御部１１９は、当該処理に係わるコンピュータプログラムを起動し（ステップＳ１００１）、利用者の認証情報の入力を受取るためのＧＵＩ（Graphic User Interface）表示画面を操作パネル部１１７の液晶表示部１１７１に表示させ、認証情報の入力を要求する（ステップＳ１００２）。
【００４４】
操作パネル部１１７を介して、利用者から、認証情報として、利用者名とパスワードが入力されると、制御部１１９は、入力された利用者名に対応する登録認証情報を、登録認証情報記憶部１１２より取得し、入力された認証情報と照合することにより、認証処理を実行し（ステップＳ１００３）、認証できたか否かを判定する（ステップＳ１００４）。
入力された認証情報と登録認証情報とが照合され、認証できた場合に（ステップＳ１００４：Ｙ）、制御部１１９は、個人アドレス帳の新規登録を行うか、更新を行うかを選択させるためのＧＵＩ表示の選択画面を、操作パネル部１１７の液晶表示部１１７１に表示させ、登録方法の選択入力を要求し、「新規登録」が選択された場合には（ステップＳ１０１８：Ｙ）、設定者情報が、認証された利用名を示す、個人アドレス帳を新たに作成し（ステップＳ１０１９）、「更新」が選択された場合には（ステップＳ１０１８：Ｎ）、通信制御部１１０を介して、アドレス帳サーバー２００と通信し、アドレス帳サーバー２００に入力された利用者名を通知して、アドレス帳サーバー２００に対し、通知した利用者名の個人アドレス帳とおまかせアドレス帳の取得を要求し、アドレス帳サーバー２００から、設定者情報が、通知した利用者名と一致する個人アドレス帳と、おまかせアドレス帳を取得する（ステップＳ１００５）。
【００４５】
次に、制御部１１９は、図１７に示すようなＧＵＩ表示の設定方法選択画面を、操作パネル部１１７の液晶表示部１１７１に表示させ（ステップＳ１００６）、設定方法の選択入力を要求する。
「受信者設定」が選択された場合には（ステップＳ１００７：Ｙ）、制御部１１９は、後述する受信者設定登録処理を行い（ステップＳ１００８）、「おまかせ設定」が選択された場合には（ステップＳ１００７：Ｎ、ステップＳ１００９：Ｙ）、取得したおまかせアドレス帳に基づいて、図８に示すような受信方法設定者の選択画面を、操作パネル部１１７の液晶表示部１１７１にＧＵＩ表示させ（ステップＳ１０１０）、「おまかせ設定」の対象となる、受信方法設定者の選択を要求する。
【００４６】
操作パネル部１１７を介して、利用者から受信方法設定者の選択指示を受取ると（ステップＳ１０１１）、制御部１１９は、取得又は作成した個人アドレス帳において、選択指示された受信方法設定者について、おまかせ設定情報を登録する（ステップＳ１０１２）。
当該おまかせ設定情報により、選択指示された受信方法設定者の個人アドレス帳に含まれる受信者設定情報の指定する送信方法及び送信先と受信者特定情報、送信条件指定情報の表示態様とが、当該受信方法設定者に対する画像データの送信方法及び送信先及び、当該受信方法設定者に関する受信者特定情報、送信条件指定情報の表示態様として指定される。
【００４７】
ステップＳ１００９において、おまかせ設定が選択されず、「入力設定」が選択された場合には（ステップＳ１００９：Ｎ）、制御部１１９は、利用者の入力により、送信相手先設定情報を個人アドレス帳に登録するための登録情報入力画面を操作パネル部１１７の液晶表示部１１７１にＧＵＩ表示させ（ステップＳ１０１３）、入力画面を介して受信者名、当該受信者への送信方法、送信先の入力を受取ると（ステップＳ１０１４）、入力された情報に基づいて、送信相手先設定情報を作成し、個人アドレス帳に登録する（ステップＳ１０１５）。
【００４８】
制御部１１９は、ステップＳ１００８、又は、ステップＳ１０１２、又は、ステップＳ１０１５の処理の後、操作パネル部１１７を介して利用者から、個人アドレス帳登録処理の終了指示が入力されると（ステップＳ１０１６：Ｙ）、処理を終了し、送信相手先設定情報又は受信者設定情報を登録した個人アドレス帳を、通信制御部１１０を介してアドレス帳サーバー２００に送信し（ステップＳ１０１７）、ステップＳ１０１６において、利用者から、操作パネル部１１７を介して個人アドレス帳登録処理の継続指示を受取ると、ステップＳ１００６の処理に移行する。
（受信者設定登録処理）
図１１は、制御部１１９の行う受信者設定登録処理の動作を示すフローチャートである。以下、図１１を参照して、上記動作について説明する。
【００４９】
図１０の個人アドレス帳登録処理の動作において、「受信者設定」が選択された場合に（ステップＳ１００７：Ｙ）、制御部１１９は、通信制御部１１０を介して、アドレス帳サーバー２００と通信し、アドレス帳サーバー２００に送信方法リストの取得を要求し（ステップＳ１１０１）、アドレス帳サーバー２００から、送信方法リストを取得し（ステップＳ１１０２）、取得した送信方法リストに基づいて、図１８に示すようなＧＵＩ表示の送信方法選択画面を操作パネル部１１７の液晶表示部１１７１に表示させ（ステップＳ１１０３）、送信方法の選択及びその送信先の入力を要求する。
【００５０】
「送信方法選択画面」とは、送信方法リストの示す送信方法の選択画面（図１８の符号１６１で示す部分）と選択した送信方法での送信先の入力画面（図１８の符号１６２で示す部分）とからなる画面のことをいう。
送信方法選択画面において、利用者により、送信方法が選択され、選択された送信方法による送信先が、操作パネル部１１７を介して入力されると、制御部１１９は、選択された送信方法と入力された送信先を受信者設定情報の一部として保持した（ステップＳ１１０４）後、図１９（ａ）に示すような受信者設定情報入力画面をＧＵＩ表示させ（ステップＳ１１０５）、利用者に受信者特定情報の入力及び表示態様指定情報の指定表示形態の選択を要求する。
【００５１】
制御部１１９は、上記入力画面を介して、利用者から、受信者特定情報が入力され、図１９（ａ）に示すように「個別制限」が選択されると（ステップＳ１１０６：Ｙ）、図１９（ｂ）に示す、個別指定画面がＧＵＩ表示され（ステップＳ１１０７）、利用者に個別指定の表示態様指定情報の入力を要求し、個別指定画面を介して、表示態様指定情報の入力を受取ると、入力後の受信者設定情報を個人アドレス帳に登録する（ステップＳ１１１０）。
【００５２】
ステップＳ１１０６において、「個別制限」が選択されず（ステップＳ１１０６：Ｎ）、「一律制限」が選択された場合（ステップＳ１１０８：Ｙ）、図１９（ｃ）に示す、一律指定画面がＧＵＩ表示され（ステップＳ１１０９）、利用者に一律指定の表示態様指定情報の入力を要求し、一律指定画面を介して、表示態様指定情報の入力を受取ると、入力後の受信者設定情報を個人アドレス帳に登録する（ステップＳ１１１０）。
【００５３】
ステップＳ１１０８において、「一律制限」が選択されず、「制限無し」が選択された場合には（ステップＳ１１０８：Ｎ）、ステップＳ１１１０の処理に移行する。
（画像送信処理）
図１２及び図１３は、制御部１１９の行う画像送信処理Ａの動作を示すフローチャートである。以下、図１２及び図１３を参照して上記動作について説明する。
【００５４】
操作パネル部１１７を介して、利用者から画像送信処理Ａの実行指示が入力されると、制御部１１９は、当該処理に係わるコンピュータプログラムを起動し（ステップＳ１２０１）、利用者の認証情報の入力を受取るためのＧＵＩ表示画面を操作パネル部１１７の液晶表示部１１７１に表示させ、認証情報の入力を要求する（ステップＳ１２０２）。
操作パネル部１１７を介して、利用者から、認証情報として、利用者名とパスワードが入力されると、制御部１１９は、入力された利用者名に対応する登録認証情報を、登録認証情報記憶部１１２より取得し、入力された認証情報と照合することにより、認証処理を実行し（ステップＳ１２０３）、認証できたか否かを判定する（ステップＳ１２０４）。
【００５５】
入力された認証情報と登録認証情報とが照合され、認証できた場合に（ステップＳ１２０４：Ｙ）、制御部１１９は、通信制御部１１０を介して、アドレス帳サーバー２００と通信し、アドレス帳サーバー２００に、入力された利用者名を通知して、通知した利用者名の個人アドレス帳の取得を要求し、アドレス帳サーバー２００から該当する個人アドレス帳を取得し（ステップＳ１２０５）、操作パネル部１１７の液晶表示部１１７１に、送信する画像データの指定入力画面をＧＵＩ表示させ（ステップＳ１２０６）、指定入力画面において、送信画像データが利用者により指定されると、指定された画像データを画像記憶部１１１から読出し（ステップＳ１２０７）、取得した個人アドレス帳に基づいて、図２０に示すような受信者名選択画面を作成し、操作パネル部１１７の液晶表示部１１７１にＧＵＩ表示させ（ステップＳ１２０８）、受信者名の選択を要求する。
【００５６】
図２０に示す受信者名選択画面は、図７（ａ）に示すＡさんの個人アドレス帳に基づいて作成されたものを具体例として示している。
利用者により、受信者選択画面において、受信者名が選択され、操作パネル部１１７を介して入力されると、制御部１１９は、取得した個人アドレス帳を参照して、当該受信者名について、おまかせ設定情報が登録されているかを判定する（ステップＳ１２０９）．
おまかせ設定情報が登録されている場合（ステップＳ１２０９：Ｙ）、制御部１１９は、通信制御部１１０を介して、アドレス帳サーバー２００と通信し、アドレス帳サーバー２００に、選択された受信者名を通知し、アドレス帳サーバー２００から、当該受信者名に対応付けられている個人アドレス帳において、登録されている受信者設定情報の取得を要求し、アドレス帳サーバー２００から当該受信者設定情報を取得し（ステップＳ１２１０）、受信者設定情報に含まれる表示態様指定情報の示す指定表示形態が、「制限無し」であるか、「個別制限」であるか、「一律制限」であるかを判定し（ステップＳ１２１１、ステップＳ１２１２）、「制限無し」の場合には（ステップＳ１２１１：Ｙ）、受信者設定情報の示す、受信者特定情報、送信条件指定情報をデフォルトの表示態様で、表示部１１７１に表示させつつ、受信者設定情報の指定する送信方法で、当該受信者設定情報の指定する送信先に送信し（ステップＳ１２１５）、「個別制限」の場合には（ステップＳ１２１１：Ｎ、ステップＳ１２１２：Ｙ）、受信者設定情報の示す表示態様指定情報を参照して、認証された送信者名に対応付けられている表示態様を特定し（ステップＳ１２１３）、受信者設定情報の示す、受信者特定情報、送信条件指定情報を、特定した表示態様で表示部１１７１に表示させつつ、受信者設定情報の指定する送信方法で、当該受信者設定情報の指定する送信先に送信し（ステップＳ１２１４）、「一律制限」の場合には（ステップＳ１２１１：Ｎ、ステップＳ１２１２：Ｎ）、受信者設定情報の示す表示態様指定情報において、指定される一律制限された表示態様で、受信者設定情報の示す、受信者特定情報、送信条件指定情報を表示部１１７１に表示させつつ、受信者設定情報の指定する送信方法で、当該受信者設定情報の指定する送信先に送信する（ステップＳ１２１６）。
【００５７】
又、ステップＳ１２０９において、おまかせ設定情報が登録されていない場合には（ステップＳ１２０９：Ｎ）、制御部１１９は、ステップＳ１２１５の処理に移行する。
ステップＳ１２１４、ステップＳ１２１５、ステップＳ１２１６の各処理の後、制御部１１９は、各処理による送信に関する送信履歴情報を作成し、送信履歴情報記憶部１２０に記録し（ステップＳ１２１７）、送信処理を継続するか否かの指示の入力を要求する、継続指示入力画面を操作パネル部１１７の液晶表示部１１７１にＧＵＩ表示させ、継続指示の入力があった場合には（ステップＳ１２１８：Ｎ）、ステップＳ１２０８の処理に移行し、非継続指示の入力が有った場合には（ステップＳ１２１８：Ｙ）、取得した個人アドレス帳及びおまかせアドレス帳を削除する（ステップＳ１２１９）。
（送信履歴表示処理）
図１４は、制御部１１９の行う送信履歴表示処理の動作を示すフローチャートである。以下、図１４を参照して、上記動作について説明する。
【００５８】
操作パネル部１１７を介して、送信者から送信履歴表示処理の実行指示が入力されると、制御部１１９は、当該処理に係わるコンピュータプログラムを起動し（ステップＳ１３０１）、送信者の認証情報の入力を受取るためのＧＵＩ（Graphic User Interface）表示画面を操作パネル部１１７の液晶表示部１１７１に表示させ、認証情報の入力を要求する（ステップＳ１３０２）。
【００５９】
操作パネル部１１７を介して、送信者から、認証情報として、利用者名とパスワードが入力されると、制御部１１９は、入力された送信者名に対応する登録認証情報を、登録認証情報記憶部１１２より取得し、入力された認証情報と照合することにより、認証処理を実行し（ステップＳ１３０３）、認証できたか否かを判定する（ステップＳ１３０４）。
入力された認証情報と登録認証情報とが照合され、認証できた場合に（ステップＳ１３０４：Ｙ）、制御部１１９は、認証された送信者名に対応する送信履歴情報を送信履歴情報記憶部１２０より取得し（ステップＳ１３０５）、さらに、通信制御部１１０を介して、アドレス帳サーバー２００と通信し、アドレス帳サーバー２００におまかせアドレス帳の取得を要求し、アドレス帳サーバー２００から、おまかせアドレス帳を取得し（ステップＳ１３０６）、取得した送信履歴情報に含まれる受信者名が、おまかせアドレス帳に登録されているか否かを判定する（ステップＳ１３０７）。
【００６０】
おまかせアドレス帳に登録されている場合に（ステップＳ１３０７：Ｙ）、制御部１１９は、通信制御部１１０を介して、アドレス帳サーバー２００と通信し、アドレス帳サーバー２００に、当該受信者名を通知し、アドレス帳サーバー２００から、当該受信者名に対応付けられている個人アドレス帳において、登録されている受信者設定情報の取得を要求し、アドレス帳サーバー２００から当該受信者設定情報を取得し（ステップＳ１３０８）、受信者設定情報に含まれる表示態様指定情報の示す指定形態が、「制限無し」であるか、「個別制限」であるか、「一律制限」であるかを判定し（ステップＳ１３０９、ステップＳ１３１０）、「制限無し」の場合には（ステップＳ１３０９：Ｙ）、当該送信履歴情報の示す、受信者特定情報、送信条件指定情報をデフォルトの表示態様で表示させつつ、送信履歴情報を表示部１１７１に表示させ（ステップＳ１３１１）、「個別制限」の場合には（ステップＳ１３０９：Ｎ、ステップＳ１３１０：Ｙ）、受信者設定情報の示す表示態様指定情報を参照して、認証された送信者に対応付けられている表示態様を特定し（ステップＳ１３１２）、当該送信履歴情報の示す、受信者特定情報、送信条件指定情報を、特定した表示態様で表示させつつ、送信履歴情報を表示部１１７１に表示させ（ステップＳ１３１３）、「一律制限」の場合には（ステップＳ１３０９：Ｎ、ステップＳ１３１０：Ｎ）、受信者設定情報の示す表示態様指定情報において、指定される一律制限された表示態様で、当該送信履歴情報の示す、受信者特定情報、送信条件指定情報を表示させつつ、送信履歴情報を表示部１１７１に表示させる（ステップＳ１３１４）。
【００６１】
又、ステップＳ１３０７において、おまかせアドレス帳に登録されていない場合には（ステップＳ１３０７：Ｎ），制御部１１９は、ステップＳ１３１１の処理に移行する。
ステップ１３１１、ステップＳ１３１３、ステップＳ１３１４の各処理の後、制御部１１９は、認証された送信者名に対応付けられている全ての送信履歴情報について、表示処理を終了したか否かを判定し（ステップＳ１３１５）、終了している場合には（ステップＳ１３１５：Ｙ）、送信履歴表示処理を終了し、終了していない場合には（ステップＳ１３１５：Ｎ）、ステップＳ１３０７の処理に移行する。
【００６２】
++は、送信履歴表示処理により、表示部１１７１に表示される送信履歴情報の具体例を示す。
図９は、図４に示す受信者設定情報を登録した「ＧＫさん」を受信者として、送信された画像データの送信履歴情報の具体例を示し、図９（ａ）は、「Ａさん」を送信者とする場合の具体例を、図９（ｂ）は、「Ｈさん」を送信者とする場合の具体例を示す。
【００６３】
図４の受信者設定情報示す表示態様指定情報においては、「Ａさん」については、「受信者名」と「受信者ＩＤ」の表示が制限されているので、図９（ａ）では、受信者特定情報の内、受信者の愛称（ごりさん）と顔画像のみが表示され、受信者名と受信者ＩＤは、表示されていない。
一方、「Ｈさん」については、図４の受信者設定情報示す表示態様指定情報において、顔画像と送信方法のみの表示が許容されているので、図９（ｂ）では、受信者特定情報の内、顔画像のみが表示され、愛称と受信者名と受信者ＩＤは、表示されず、又、送信条件指定情報の内、送信方法のみが表示され、送信先は、表示されていない。
＜補足＞
以上、本発明に係る画像送信システム１０００について、について、実施の形態に基づいて説明したが、本発明はこの実施の形態に限られないことは勿論である。
（１）例えば、本実施の形態においては、個人アドレス帳登録処理において、受信者について画像データの送信方法及び送信先を個人アドレス帳に登録する際に、登録者が、受信者についておまかせ設定情報を登録している（図１０のステップＳ１０１２参照）場合に限り、画像送信処理において、受信者特定情報を、画像データの送信の際に表示部１１７１に表示させる場合の表示態様を、受信者設定情報の示す表示態様指定情報に従って、表示態様を制御することとしたが、登録者によるおまかせ設定情報の登録の有無に係らず、受信者が受信者設定情報をその個人アドレス帳に登録している場合には、そちらを優先して、受信者設定情報の示す表示態様指定情報に従って、受信者特定情報の表示態様を制御することとしてもよい。
【００６４】
具体的には、図１５及び図１６に示すフローチャートに従って、画像送信処理Ｂを行うこととしてもよい。図１５及び図１６は、制御部１１９の行う画像送信処理Ｂの動作を示す図である。図１５及び図１６において、図１２及び図１３に示す画像送信処理Ａと共通する処理については、図１２及び図１３と同一のステップ番号を付し、画像送信処理Ａと相違する処理については、異なるステップ番号を付している。以下、相違点を中心に上記動作について説明する。
【００６５】
制御部１１９は、ステップＳ１２０１〜ステップＳ１２０４の処理を行った後、認証ができた場合に（ステップＳ１２０４：Ｙ）、通信制御部１１０を介して、アドレス帳サーバー２００と通信し、アドレス帳サーバー２００に、入力された利用者名を通知し、アドレス帳サーバー２００に、通知した利用者名の個人アドレス帳とおまかせアドレス帳の取得を要求し、アドレス帳サーバー２００から該当する個人アドレス帳とおまかせアドレス帳とを取得し（ステップＳ１４０５）、ステップＳ１２０６〜ステップＳ１２０８の処理を行った後、選択された受信者が、おまかせアドレス帳に登録されているか否かを判定し（ステップＳ１４０９）、登録されている場合に（ステップＳ１４０９：Ｙ）、ステップＳ１２１０の処理に移行し、登録されていない場合に（ステップＳ１４０９：Ｎ）、ステップＳ１２１５の処理に移行し、それ以降、図１２に示す処理動作（ステップＳ１２１１〜ステップＳ１２１４、ステップＳ１２１５、ステップＳ１２１６）と同様の処理を行う。
【００６６】
これにより、受信者が、個人アドレス帳において、受信者設定情報を登録している場合には、受信者の意向が優先的に反映されるので、受信者は、必要に応じて、受信者設定情報を更新することにより、いちいち相手先に通知するという労を払うことなく、容易に自己宛の画像データが送信される際の受信者特定情報の表示態様を、自分の希望に沿うように制御することができる。
（２）又、画像送信処理Ａ及びＢにおいて、受信者設定情報に基づいて画像データが送信される場合に、その送信方法として電話回線を用いたＦＡＸが受信者設定情報において設定されている場合には、受信者設定情報の表示態様指定情報において指定される表示態様にかかわらず、ＦＡＸ送信の課金の目安となる情報、例えば、送信先の地域を示す情報（地域名、郵便番号、電話番号の市外局番等）を画像送信装置１００の表示部１１７１に表示させることとしてもよい。図２１は、表示態様指定情報において、送信方法の表示以外の表示が制限されている場合の表示例を示す（ここでは、送信者をＨさんとする。）。
【００６７】
具体的には、図１１に示す受信者設定登録処理において、送信方法選択画面から入力された送信方法が、「ＦＡＸ」である場合には、利用者に送信先の地域を示す情報を入力させることとし、入力された情報を受信者設定情報に含めて個人アドレス帳に登録しておき、
当該受信者設定情報に基づく画像データ送信の場合に、課金の目安となる送信先の地域を示す情報を表示部１１７１に表示させることができる。
【００６８】
これにより、受信者が、送信先の電話番号の表示制限をしている場合においても、送信者は、送信先の地域がどこであるかを知ることができ、送信にかかる金額の目安を得ることができる。
【産業上の利用可能性】
【００６９】
本発明は、宛先情報の表示が可能な画像送信技術に関し、特に、送信時における宛先情報の表示を制御する技術として利用できる。
【図面の簡単な説明】
【００７０】
【図１】本実施の形態に係る画像送信システム１０００の構成を示す図である。
【図２】画像送信装置１００の機能構成を示す機能ブロック図である。
【図３】アドレス帳サーバー２００の機能構成を示す機能ブロック図である。
【図４】受信者設定情報の具体例を示す図である。
【図５】表示態様指定情報に基づく受信者特定情報及び送信条件設定情報の表示例１を示す。
【図６】表示態様指定情報に基づく受信者特定情報及び送信条件設定情報の表示例２を示す。
【図７】個人アドレス帳の具体例を示す。
【図８】受信方法設定者選択画面の具体例を示す。
【図９】送信履歴表示処理により、表示部１１７１に表示される送信履歴情報の具体例を示す。
【図１０】制御部１１９の行う個人アドレス帳登録処理の動作を示すフローチャートである。
【図１１】制御部１１９の行う受信者設定登録処理の動作を示すフローチャートである。
【図１２】制御部１１９の行う画像送信処理Ａの動作を示すフローチャートである。
【図１３】制御部１１９の行う画像送信処理Ａの動作を示すフローチャートである。
【図１４】制御部１１９の行う送信履歴表示処理の動作を示すフローチャートである。
【図１５】制御部１１９の行う画像送信処理Ｂの動作を示す図である。
【図１６】制御部１１９の行う画像送信処理Ｂの動作を示す図である。
【図１７】設定方法選択画面の具体例を示す。
【図１８】送信方法選択画面の具体例を示す。
【図１９】受信者設定情報入力画面の具体例を示す。
【図２０】受信者名選択画面の具体例を示す
【図２１】表示態様指定情報において、送信方法の表示以外の表示が制限されている場合の表示例を示す。
【符号の説明】
【００７１】
１００          画像送信装置
１０１          ＬＡＮ
１０２          インターネット
１０３          通信網
１１０、２０１  通信制御部
１１１          画像記憶部
１１２          登録認証情報記憶部
１１３          画像読取部
１１４          モデム
１１５          ＦＡＸ通信制御部
１１６          網制御部
１１７          操作パネル部
１１８          印刷処理部
１１９、２０２  制御部
１２０          送信履歴情報記憶部
１５１、１５２  ＰＣ
２００          アドレス帳サーバー
２０２          装置情報記憶部
２０３          アドレス帳記憶部
３００          ファクシミリ
４０１          メールサーバ
４０２          ＦＴＰサーバー
４０３          ＷＷＷサーバー
１１７１        液晶表示部
２０３１        個人アドレス帳記憶部
２０３２        おまかせアドレス帳記憶部
【図１】
0004386121.tif 000002
【図２】
0004386121.tif 000003
【図３】
0004386121.tif 000004
【図４】
0004386121.tif 000005
【図５】
0004386121.tif 000006
【図６】
0004386121.tif 000007
【図７】
0004386121.tif 000008
【図８】
0004386121.tif 000009
【図９】
0004386121.tif 000010
【図１０】
0004386121.tif 000011
【図１１】
0004386121.tif 000012
【図１２】
0004386121.tif 000013
【図１３】
0004386121.tif 000014
【図１４】
0004386121.tif 000015
【図１５】
0004386121.tif 000016
【図１６】
0004386121.tif 000017
【図１７】
0004386121.tif 000018
【図１８】
0004386121.tif 000019
【図１９】
0004386121.tif 000020
【図２０】
0004386121.tif 000021
【図２１】
0004386121.tif 000022